(57)【要約】【課題】競技者が自己の拳に合わせて締め付け強度を任意に調節することができるとともに、競技者が一人で装着することのできる格闘技用グローブ及び当該グローブの装着方法を提供する。【解決手段】本体及び装着用紐を有する格闘技用グローブにおいて、前記装着用紐は拳を前記本体内部に挿入後前記本体内側を締め付けるための可塑性紐及び当該可塑性紐に連なる伸縮性紐を有するとともに、当該グローブの装着方法において、拳を前記本体内部に挿入後前記本体内側を締め付け固定するために前記可塑性紐を前記手首部に巻き付ける第一過程、前記可塑性紐を前記手首部に巻き付けた後前記伸縮性紐を前記手首部に巻き付ける第二過程及び前記伸縮性紐を前記手首部に巻き付けた後前記伸縮性紐の末端部を前記本体に固定化する第三過程を有することを特徴とする。【選択図】　図１
2004141333.tif 000002
【特許請求の範囲】
【請求項１】
本体及び装着用紐を有する格闘技用グローブにおいて、前記装着用紐は拳を前記本体内部に挿入後前記本体内側を締め付けるための可塑性紐及び当該可塑性紐に連なる伸縮性紐を有することを特徴とする格闘技用グローブ。
【請求項２】
前記可塑性紐は、前記格闘技用グローブの本体内側の内側右部及び内側左部から各々連なる一本の紐を輪状にしていることを特徴とする請求項１記載の格闘技用グローブ。
【請求項３】
前記伸縮性紐は、一本の紐を輪状にしていることを特徴とする請求項１又は２記載の格闘技用グローブ。
【請求項４】
前記伸縮性紐の末端部に前記装着用紐を解くための把持手段を有することを特徴とする請求項１、２又は３記載の格闘技用グローブ。
【請求項５】
前記把持手段は前記伸縮性紐に連なる装着解除用紐であることを特徴とする請求項４記載の格闘技用グローブ。
【請求項６】
前記装着解除用紐は約２センチメートルの長さを有することを特徴とする請求項５記載の格闘技用グローブ。
【請求項７】
前記可塑性紐は５０センチメートル乃至７０センチメートルの長さを有することを特徴とする請求項１、２、３、４、５又は６記載の格闘技用グローブ。
【請求項８】
前記伸縮性紐は５０センチメートル乃至７０センチメートルの長さを有することを特徴とする請求項１、２、３、４、５、６又は７記載の格闘技用グローブ。
【請求項９】
手首部を有する本体及び装着用紐を有する格闘技用グローブであって、前記装着用紐は拳を前記本体内部に挿入後前記本体内側を締め付けるための可塑性紐及び当該可塑性紐に連なる伸縮性紐を有する格闘技用グローブの装着方法であって、拳を前記本体内部に挿入後前記本体内側を締め付け固定するために前記可塑性紐を前記手首部に巻き付ける第一過程、前記可塑性紐を前記手首部に巻き付けた後前記伸縮性紐を前記手首部に巻き付ける第二過程及び前記伸縮性紐を前記手首部に巻き付けた後前記伸縮性紐の末端部を前記本体に固定化する第三過程を有することを特徴とする格闘技用グローブの装着方法。
【請求項１０】
親指部及び手首部を有する本体及び装着用紐を有する格闘技用グローブであって、前記装着用紐は拳を前記本体内部に挿入後前記本体内側を締め付けるための可塑性紐及び当該可塑性紐に連なる伸縮性紐を有する格闘技用グローブの装着方法であって、拳を前記本体内部に挿入後前記本体内側を締め付け固定するために前記可塑性紐を前記手首部に巻き付ける第一過程、前記可塑性紐を前記手首部に巻き付けた後前記伸縮性紐を前記手首部に巻き付ける第二過程及び前記伸縮性紐を前記手首部に巻き付けた後前記伸縮性紐の末端部を前記親指部に固定化する第三過程を有することを特徴とする格闘技用グローブの装着方法。
【発明の詳細な説明】
【０００１】
【発明の属する技術分野】
本発明は、例えば、日本拳法、空手、ボクシング等の格闘技において競技者の拳に装着される格闘技用グローブ及び当該グローブの装着方法に係る。
【０００２】
【従来の技術】
従来、格闘技の競技者が格闘技用グローブを拳に装着する場合、拳にテーピングを施した後、競技者以外の第三者が格闘技用グローブを競技者の拳に挿入した後、その第三者が格闘技用グローブの本体内側に備えられている装着用紐を締め付けることにより、格闘技用グローブを拳に装着している。
【０００３】
【発明が解決がしようとする課題】
しかし、この従来技術に係る格闘技用グローブでは、拳に装着する際、第三者の補助が必要で一人では装着できないという問題点があった。この問題点を解決するために、即ち、競技者が格闘技用グローブを一人で装着するために、格闘技用グローブの本体内側に備えられている装着用紐を全てゴムひもにする技術が実用新案登録第３０６８８３８号公報に開示されている。
【０００４】
しかしながら、この実用新案登録第３０６８８３８号公報に開示されている技術では、装着用紐を全てゴムひもにしているため、各競技者が自己の拳に合わせて締め付け強度を任意に調節することができない。
【０００５】
そこで、本発明は、上記問題点を解決するためになされたもので、各競技者が自己の拳に合わせて締め付け強度を任意に調節することができるとともに、競技者が一人で装着することのできる格闘技用グローブ及び当該グローブの装着方法を提供することを目的とする。
【０００６】
【課題を解決するための手段】
上記問題点を解決するために、本発明に係る格闘技用グローブは、本体及び装着用紐を有する格闘技用グローブにおいて、前記装着用紐は拳を前記本体内部に挿入後前記本体内側を締め付けるための可塑性紐及び当該可塑性紐に連なる伸縮性紐を有するものである。「可塑性紐」は主に伸縮自在でないことを意味し、例えば、通常の格闘技用グローブに付属している紐等をいう。
【０００７】
また、前記可塑性紐は、前記格闘技用グローブの本体内側の内側右部及び内側左部から各々連なる一本の紐を輪状にしていることが好ましい。
また、前記伸縮性紐は、一本の紐を輪状にしていることが好ましい。
また、前記伸縮性紐の末端部に前記装着用紐を解くための把持手段を有することが好ましい。
【０００８】
また、前記把持手段は前記伸縮性紐に連なる装着解除用紐であることが好ましい。
また、前記装着解除用紐は約２センチメートルの長さを有することが好ましい。
また、前記可塑性紐は５０センチメートル乃至７０センチメートルの長さを有することが好ましい。
また、前記伸縮性紐は５０センチメートル乃至７０センチメートルの長さを有することが好ましい。
【０００９】
また、本発明に係る格闘技用グローブの装着方法は、手首部を有する本体及び装着用紐を有する格闘技用グローブであって、前記装着用紐は拳を前記本体内部に挿入後前記本体内側を締め付けるための可塑性紐及び当該可塑性紐に連なる伸縮性紐を有する格闘技用グローブの装着方法であって、拳を前記本体内部に挿入後前記本体内側を締め付け固定するために前記可塑性紐を前記手首部に巻き付ける第一過程、前記可塑性紐を前記手首部に巻き付けた後前記伸縮性紐を前記手首部に巻き付ける第二過程及び前記伸縮性紐を前記手首部に巻き付けた後前記伸縮性紐の末端部を前記本体に固定化する第三過程を有するものである。「本体に固定化する」とは、伸縮性紐の末端部を本体に貼り付ける等により、伸縮性紐を本体において固定することをいう。
【００１０】
また、本発明に係る格闘技用グローブの装着方法は、親指部及び手首部を有する本体及び装着用紐を有する格闘技用グローブであって、前記装着用紐は拳を前記本体内部に挿入後前記本体内側を締め付けるための可塑性紐及び当該可塑性紐に連なる伸縮性紐を有する格闘技用グローブの装着方法であって、拳を前記本体内部に挿入後前記本体内側を締め付け固定するために前記可塑性紐を前記手首部に巻き付ける第一過程、前記可塑性紐を前記手首部に巻き付けた後前記伸縮性紐を前記手首部に巻き付ける第二過程及び前記伸縮性紐を前記手首部に巻き付けた後前記伸縮性紐の末端部を前記親指部に固定化する第三過程を有するものである。「親指部に固定化する」とは、親指部に伸縮性紐の末端部を引っ掛ける等により、伸縮性紐を親指部において固定することをいう。
【００１１】
【発明の実施の形態】
発明の実施の形態を実施例に基づき、図面を参照して説明する。
本発明の実施例を、図１及び図２を参照しつつ説明する。図１は、本発明の実施例に係る格闘技用グローブの斜視図とともに長さの尺度を示す図で、図２は、本発明の実施例に係る格闘技用グローブの装着方法を主に示す斜視図で、（ａ）は左の拳を格闘技用グローブに挿入後可塑性紐で本体内側を締め付けるとともに手首部に可塑性紐を巻き付ける第一過程、（ｂ）は前記可塑性紐を前記手首部に巻き付けた後前記伸縮性紐を前記手首部に巻き付ける第二過程及び（ｃ）は前記伸縮性紐を前記手首部に巻き付けた後前記伸縮性紐の末端部を前記親指部に引っ掛けることにより固定化する第三過程とともに親指部に引っ掛けられた伸縮性紐の末端部の隠れた部分を点線で示す。
【００１２】
格闘技用グローブ１は大きく本体２及び装着用紐３を有している。本体２は大きく親指部７、拳部５及び手首部６を有している。本体内側は、競技者の拳が容易に挿入できるよう、中央付近から手首部６にかけて図面上左右に内側右部２１と内側左部２２とに割れており、競技者が拳を挿入後拳に格闘技用グローブ１を強く固定するために中央内側の内側右部２１と内側左部２２とを締め付ける可塑性紐８を有している。可塑性紐８は伸縮性が殆どなく内側右部２１と内側左部２２に設けられた複数の孔を通して設けられ一本の紐で構成されており内側右部２１及び内側左部２２から連なっている紐の端部を結合させている。従って、可塑性紐８は一本の紐を輪のようにして構成されている。尚、このように、この可塑性紐８は輪にして二本の紐を重ねる状態で図示された如く手首部６から概ね５０センチメートル乃至７０センチメートルの長さが好ましい。
【００１３】
装着用紐３は、この可塑性紐８に連なってさらに伸縮性紐９を有している。本実施例では伸縮性紐９として弾力性あるゴムを使用している。この伸縮性紐９は一本の伸縮性紐９を可塑性紐８が作る輪と交叉させる形で輪のようにして構成されている。尚、このように、この伸縮性紐９は輪にして二本の紐を重ねる状態で図示された如く概ね５０センチメートル乃至７０センチメートルの長さが好ましい。
【００１４】
この伸縮性紐９を輪のように構成するために紐の両端を結合させるべく結び目９１が設けられている。この結び目９１からさらに装着用紐３を解くための把持手段４が設けられている。本実施例においては、この把持手段４は伸縮性紐９をやや長めにして結び目９１からさらに末端へと延ばす形で、伸縮性紐９に連なる装着解除用紐４として構成されている。尚、この把持手段（装着解除用紐）４は図示された如く約２センチメートルの長さが好ましい。
【００１５】
次に、上記構成を有する格闘技用グローブ１の装着方法を図２を参照しつつ説明する。
【００１６】
図２（ａ）は、左の拳を格闘技用グローブ１に挿入後可塑性紐８で本体内側を締め付けるとともに手首部６に可塑性紐８を巻き付ける第一過程を示す。即ち、競技者は、自ら左の拳を格闘技用グローブ１に挿入後、競技者自身が可塑性紐８を図面上手前に適度に引っ張ることにより、内側右部２１と内側左部２２とを締め付け、その後、可塑性紐８を二重にした状態で強さを加減しながら手首部６に図のように巻き付けていく。巻き付けていく方向は、図のように、左手の場合、競技者自身が可塑性紐８を図面上、手前に適度に引っ張ることにより、内側右部２１と内側左部２２とを締め付け後、まず、可塑性紐８を手首部６の図面上、手前側の右側にもっていき、その後図面上、手首部６の奥側に回し手首部６を約半周して手首部６の図面上、手前側の左側までもっていき、さらに手首部６の図面上、手前側の右側にもっていく方向である。
【００１７】
図２（ｂ）は、前記可塑性紐を前記手首部に巻き付けた後前記伸縮性紐を前記手首部に巻き付ける第二過程を示す。即ち、上記第一過程終了後、競技者は伸縮性紐９を二重にした状態で強さを加減しながら手首部６を図のように巻き付けていく。巻き付けていく方向は、可塑性紐８と同様である。
【００１８】
図２（ｃ）は、前記伸縮性紐を前記手首部に巻き付けた後前記伸縮性紐の末端部を前記親指部に引っ掛けることにより固定化する第三過程を示す。即ち、上記第二過程終了後、競技者自身が伸縮性紐９の末端部である結び目９１を親指部７に引っ掛けることにより、伸縮性紐９を親指部７に固定化する。即ち、伸縮性紐９の末端部にある結び目９１と末端部の伸縮性紐９とで作られた略ゴム輪状のもののなかに親指部７を通すことにより、伸縮性紐９を親指部７に固定化する。従って、親指部７の根元付近に伸縮性紐９の末端部にある結び目９１と末端部の伸縮性紐９とで作られた略ゴム輪状のものが嵌ることになる。
【００１９】
上記説明は競技者が左の拳に格闘技用グローブを装着する方法を説明したが、右の拳に格闘技用グローブを装着する場合も左右対称的に同様である。
【００２０】
その後、競技者が練習や試合等を終えた後、拳から格闘技用グローブをはずす必要がある。この場合は、上記した装着方法と逆の手順で容易に競技者のみではずすことができる。
【００２１】
まず、競技者が把持手段（装着解除用紐）４を逆の手によって引っ張ることにより親指部７から伸縮性紐９の末端部である結び目９１をはずす。次に、伸縮性紐９を手首部６から解きさらに可塑性紐８を解くことにより装着用紐３を手首部６から解き、さらに内側右部２１と内側左部２２とを開くことにより、拳を格闘技用グローブ１から抜くことができる。このように、競技者一人で格闘技用グローブ１をはずすことができる。
【００２２】
また、上述した格闘技用グローブ及び当該グローブの装着方法を採用すると、練習効果も抜群に向上する。即ち、格闘技の練習生が一人で格闘技用グローブを装着・解除できるため、指導者は、限られた時間に多くの格闘技の練習生に濃密な訓練を施すことができる。
【００２３】
尚、上記実施例では、伸縮性紐９の末端部を親指部に固定化したが、本体の他の部位に固定化することも可能である。また、本件発明は、上記実施例のみに限られるのではなく、種々の改変が可能である。
【００２４】
【発明の効果】
上記のように、本発明に係る格闘技用グローブ及び当該グローブの装着方法によると、各競技者が自己の拳に合わせて締め付け強度を任意に調節することができるとともに、競技者が一人で装着することができる。
【図面の簡単な説明】
【図１】本発明の実施例に係る格闘技用グローブの斜視図とともに長さの尺度を示す図である。
【図２】本発明の実施例に係る格闘技用グローブの装着方法を主に示す斜視図で、（ａ）は左の拳を格闘技用グローブに挿入後可塑性紐で本体内側を締め付けるとともに手首部に可塑性紐を巻き付ける第一過程、（ｂ）は前記可塑性紐を前記手首部に巻き付けた後前記伸縮性紐を前記手首部に巻き付ける第二過程及び（ｃ）は前記伸縮性紐を前記手首部に巻き付けた後前記伸縮性紐の末端部を前記親指部に引っ掛けることにより固定化する第三過程とともに親指部に引っ掛けられた伸縮性紐の末端部の隠れた部分を点線で示す。
【符号の説明】
１　格闘技用グローブ
２　本体
２１　内側右部
２２　内側左部
３　装着用紐
４　把持手段（装着解除用紐）
５　拳部
６　手首部
７　親指部
８　可塑性紐
９　伸縮性紐
９１　結び目
【図１】
2004141333.tif 000003
【図２】
2004141333.tif 000004